【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
タービン運転中に燃焼ガスにさらされる外部表面（１２９、１３１）を含むタービン部品のための冷却システムを提供する方法であって、
冷却流体の供給源に連結可能な少なくとも１つの流体供給流路を有する部品基盤を形成するステップと、
前記部品基盤に少なくとも１つのフィード流路（２０６、３０６、４０６、５０６）を形成するステップであって、前記少なくとも１つのフィード流路（２０６、３０６、４０６、５０６）は、前記少なくとも１つの流体供給流路と流体連通して連結されるステップと、
前記部品基盤に複数の配送チャネル（２０８、３０８、４０８、５０８）を形成するステップであって、前記複数の配送チャネル（２０８、３０８、４０８、５０８）は、前記少なくとも１つのフィード流路（２０６、３０６、４０６、５０６）と流体連通して連結されるステップと、
前記少なくとも１つのフィード流路（２０６、３０６、４０６、５０６）および前記複数の配送チャネル（２０８、３０８、４０８、５０８）をカバーし、少なくとも部分的には前記部品外部表面（１２９、１３１）を形成するための、前記基盤上に前記複数の配送チャネル（２０８、３０８、４０８、５０８）の教会を画定する少なくとも１つのカバー層（２１７）を形成するステップと、
前記少なくとも１つのカバー層（２１７）を通り、前記部品基盤内を少なくとも部分的に延びる少なくとも１つの放出流路を形成するステップであって、前記少なくとも１つの放出流路は、前記複数の配送チャネル（２０８、３０８、４０８、５０８）の少なくとも１つの端と流体連通して連結され、前記少なくとも１つのカバー層（２１７）を通って前記部品基盤内から前記外部表面（１２９、１３１）まで延長するステップと、
前記複数の配送チャネル（２０８、３０８、４０８、５０８）にディフューザ部（２１２、３１２、４１２）を形成するステップであって、そのようにして、前記複数の配送チャネル（２０８、３０８、４０８、５０８）を通って導かれる流体が、前記外部表面（１２９、１３１）に隣接して放出される前に拡散されるステップと、を含む方法。
【請求項２】
前記複数の配送チャネル（２０８、３０８、４０８、５０８）にディフューザ部（２１２、３１２、４１２）を形成するステップは、
長さを有する第１の配送チャネル部を形成するステップであって、前記第１の配送チャネル部は、前記長さに沿って実質的に一定の断面積を含むステップと、
第２の配送チャネル部を形成するステップと、を含み、前記第２の配送チャネル部は、前記第１の配送チャネル部の前記断面領域より大きい放出断面積を含む、請求項１に記載の方法。
【請求項３】
入口断面積および放出断面積を有する前記放出流路を形成するステップを含み、前記放出断面積は前記入口断面積より大きい、請求項１または２に記載の方法。
【請求項４】
前記部品基盤に複数のフィード流路（２０６、３０６、４０６、５０６）を形成するステップであって、前記複数のフィード流路（２０６、３０６、４０６、５０６）の各々は、前記少なくとも１つの流体供給流路と流体連通して連結されるステップと、
前記部品基盤に複数の配送チャネル（２０８、３０８、４０８、５０８）を形成するステップと、を含み、前記配送チャネル（２０８、３０８、４０８、５０８）の各々は対応するフィード流路（２０６、３０６、４０６、５０６）と流体連通して連結される、請求項１乃至３のいずれかに記載の方法。
【請求項５】
前記少なくとも１つの流体供給流路と流体連通して連結される分配流路（２０２、３０２、４０２、５０２）を形成するステップを含み、前記分配流路（２０２、３０２、４０２、５０２）は、前記フィード流路（２０６、３０６、４０６、５０６）の各々とさらに流体連通して連結される、請求項４に記載の方法。
【請求項６】
前記少なくとも１つのカバー層（２１７）を通る少なくとも１つの放出流路を形成するステップは、前記少なくとも１つのカバー層（２１７）の細長い溝（１３９、２２２、５１０）を形成するステップを含み、前記細長い溝（１３９、２２２、５１０）は、前記配送チャネル（２０８、３０８、４０８、５０８）の各々と流体連通して連結され、前記配送チャネル（２０８、３０８、４０８、５０８）から前記細長い溝（１３９、２２２、５１０）の中に導かれた冷却流体は、その後に前記細長い溝（１３９、２２２、５１０）から放出されて、前記部品外部表面（１２９、１３１）に隣接する冷却流体膜（２１１、３１１、４１１、５１１）を形成し、
前記少なくとも１つのカバー層（２１７）に細長い溝（１３９、２２２、５１０）を形成するステップは、入口端壁（３３４、３３６、４３２）および出口端壁（３３２、４３０、５１６）を有する前記細長い溝（１３９、２２２、５１０）を形成するステップを含み、前記入口端壁（３３４、３３６、４３２）および前記出口端壁（３３２、４３０、５１６）は広がり、前記細長い溝（１３９、２２２、５１０）の中に導かれた冷却流体は前記細長い溝（１３９、２２２、５１０）から放出される前に拡散される、請求項４に記載の方法。
【請求項７】
タービン運転中に燃焼ガスにさらされる外部表面（１２９、１３１）を含むタービン部品のための冷却システムを提供するシステムであって、
冷却流体の供給源に連結可能な少なくとも１つの流体供給流路を含む部品基盤と、
前記部品基盤に形成され、前記少なくとも１つの流体供給流路と流体連通して連結される少なくとも１つのフィード流路（２０６、３０６、４０６、５０６）と、
前記部品基盤に形成され、前記少なくとも１つのフィード流路（２０６、３０６、４０６、５０６）と流体連通して連結される複数の配送チャネル（２０８、３０８、４０８、５０８）と、
前記少なくとも１つのフィード流路（２０６、３０６、４０６、５０６）および前記複数の配送チャネル（２０８、３０８、４０８、５０８）をカバーし、少なくとも部分的には前記部品外部表面（１２９、１３１）を形成するための、前記基盤上に形成され、前記複数の配送チャネル（２０８、３０８、４０８、５０８）の教会を画定する少なくとも１つのカバー層（２１７）と、
前記少なくとも１つのカバー層（２１７）を通り、前記部品基盤内を少なくとも部分的に延びて形成され、前記複数の配送チャネル（２０８、３０８、４０８、５０８）の少なくとも１つの端と流体連通して連結され、前記少なくとも１つのカバー層（２１７）を通って前記部品基盤内から前記外部表面（１２９、１３１）まで延長する少なくとも１つの放出流路と、
前記複数の配送チャネル（２０８、３０８、４０８、５０８）を通って導かれる流体が、前記外部表面（１２９、１３１）に隣接して放出される前に拡散されるように、前記複数の配送チャネル（２０８、３０８、４０８、５０８）に形成されるディフューザ部（２１２、３１２、４１２）と、を含むシステム。
【請求項８】
前記ディフューザ部（２１２、３１２、４１２）は、
前記基盤に形成され、長さおよび前記長さに沿って実質的に一定の断面積を含む第１の配送チャネル部と、
前記基盤に形成され、前記第１の配送チャネル部と流体連通して連結され、前記第１の配送チャネル部の前記断面領域より大きい放出断面積を含む第２の配送チャネル部と、を含む、請求項１１に記載のシステム。
【請求項９】
前記ディフューザ部（２１２、３１２、４１２）は入口断面積および放出断面積を含み、前記放出断面積は前記入口断面積より大きい、請求項７または８に記載のシステム。
【請求項１０】
前記部品基盤に形成され、各々が前記少なくとも１つの流体供給流路と流体連通して連結される複数のフィード流路（２０６、３０６、４０６、５０６）と、
前記部品基盤に形成され、各々が対応するフィード流路（２０６、３０６、４０６、５０６）と流体連通して連結される複数の配送チャネル（２０８、３０８、４０８、５０８）と、を含む、請求項７乃至９のいずれかに記載のシステム。
【請求項１１】
コンプレッサ部（１０２）と、
前記コンプレッサ部（１０２）と流体連通して連結される燃焼システム（１０４）と、
前記燃焼システム（１０４）と流体連通して連結されるタービン部（１０８）と、を含み、前記タービン部（１０８）は、請求項７乃至１０のいずれかに記載のシステムを含むガスタービンシステム。